(57)【要約】【課題】携帯性に優れ腹部を最適に加温して、腹部の冷えや便秘を解消することができる超短波治療器を提供する。【解決手段】本体２は、電源としての単３乾電池を図示しない電池ホルダに保持し、この電源の電力を超短波に変換する電子回路を備えている。本体２の周囲を１周するように、超短波を放射する導子としてのコイル３が設けられている。コイル３は、可撓性の導体を可撓性の絶縁体で被覆して構成されている。コイル３の左右両端部には、それぞれホルダ４が固定され、ホルダ４の孔５には、それぞれベルト７，８の一端部が止められている。ベルト７，８の他端部には、図示しない面ファスナまたはワンタッチバックルが設けられ、胴回り等に超短波治療器を固定することができる。【選択図】    図１
2008178523.tif 000002
【特許請求の範囲】
【請求項１】
電源、該電源からの電力を超短波に変換して出力する電子回路、前記超短波を放射する導子、及び固定用ベルトを一体化した携帯型の超短波治療器であって、
前記電子回路の周囲に、前記導子を配置したことを特徴とする超短波治療器。
【請求項２】
外部から電力を受ける電源入力端子、該電源入力端子からの電力を超短波に変換して出力する電子回路、前記超短波を放射する導子、及び固定用ベルトを一体化した携帯型の超短波治療器であって、
前記電子回路の周囲に、前記導子を配置したことを特徴とする超短波治療器。
【請求項３】
前記導子は、可撓性のコイルであり、
該コイルは、少なくとも前記電子回路を収納する本体の左右に張り出して前記固定用ベルトの一部となっていることを特徴とする請求項１または請求項２に記載の超短波治療器。
【請求項４】
前記コイルは、可撓性の導体を可撓性かつ透明の絶縁体で被覆したものであることを特徴とする請求項３に記載の超短波治療器。
【請求項５】
前記本体後部の上下には、本体後部底面より一段と高くなった横方向に伸延する突起部がそれぞれ設けられ、これらの突起部内部に前記コイルを通したことを特徴とする請求項３または請求項４に記載の超短波治療器。
【請求項６】
前記コイルが囲む空間内に、前記電源から供給される電流で発熱する発熱体を配置したことを特徴とする請求項３乃至請求項５の何れか１項に記載の超短波治療器。
【請求項７】
前記コイルは、１回又は２回巻のコイルであることを特徴とする請求項３乃至請求項６の何れか１項に記載の超短波治療器。
【請求項８】
振動子を更に備えたことを特徴とする請求項１乃至請求項７の何れか１項に記載の超短波治療器。
【発明の詳細な説明】
【技術分野】
【０００１】
本発明は、短波または超短波（ＨＦ〜ＶＨＦ）帯の電磁波を身体に照射し、身体に超短波が浸透することにより身体の組織自体を発熱させる超短波治療器に関する。
【背景技術】
【０００２】
従来、高周波誘導加熱により身体を加温する装置が知られている。例えば、癌細胞と正常細胞で温熱感受性に差があることから、癌の温熱療法（ハイパーサーミヤ）が行われている。腫瘍細胞の生存率は、４２．５℃以上で大きく低下し、加温温度が高いほど、また加温時間が長いほど大きく低下する。同じ温度では、腫瘍組織に致命的な障害を生じる時間は、正常組織に障害を生じる時間より常に短い。超短波ハイパーサーミヤ装置は、身体を２枚の電極で挟み、電極間に高周波電流を流して、身体内を流れる電流のジュール熱、または誘電損失により加温する装置である。
【０００３】
同様に電磁波の誘導加熱を利用して、出力を５０Ｗ以下とした家庭用の超短波治療器が知られている。この治療器は、身体の内部から暖める温熱効果により、血液の循環を促進し、体の疲れや神経痛の痛みを和らげ、筋肉のこりや筋肉痛の緩和、胃腸の働きを活発にする効能がある。
【０００４】
また家庭用超短波治療器の可搬性を改善し、電源部、高周波発生回路、コイル部及びベルトを一体として携帯型とした腰用高周波治療器が知られている（例えば、特許文献１）。
【特許文献１】特開平１０−５３５４号公報（第２頁、図１）
【発明の開示】
【発明が解決しようとする課題】
【０００５】
しかしながら、上記従来の超短波治療器にあっては、治療対象の腰部にコイル形状を合わせてあるので、胃腸の働きが不活発な場合や腹部の冷えの解消のために、腹部に当てて使用しても狭い範囲しか暖まらず十分な効果が期待できないという問題点があった。
【０００６】
特に、旅行等で枕が変わったり、飲料水の水質（成分、硬度）が変わると便秘になりやすい体質があるが、携帯型で腹部を効率よく暖め便秘を解消することができる超短波治療器は存在しないという問題点があった。
【０００７】
本発明は、上記従来技術の問題点に着目してなされたものであり、その目的とするところは、腹部を最適に治療可能なベルト一体型の超短波治療器を提供することにある。
【課題を解決するための手段】
【０００８】
本発明において、超短波とは厳密な周波数区分を指すものではなく、短波帯の例えば２７．１２ＭＨｚも含む産業科学医療用周波数帯域（ＩＳＭバンド）の高周波を指すものとする。そして、超短波を放射する導子は、電極型（コンデンサ電極型）であってもコイル型であってもよいが、腹部を暖めるためには、脂肪層の上からでも内部へ電磁波が良く浸透するといわれているコイル型が好ましい。
【０００９】
請求項１に記載の発明は、上記目的を達成するために、電源、該電源からの電力を超短波に変換して出力する電子回路、前記超短波を放射する導子、及び固定用ベルトを一体化した携帯型の超短波治療器であって、前記電子回路の周囲に、前記導子を配置したことを要旨とする。
【００１０】
請求項２に記載の発明は、上記目的を達成するために、外部から電力を受ける電源入力端子、該電源入力端子からの電力を超短波に変換して出力する電子回路、前記超短波を放射する導子、及び固定用ベルトを一体化した携帯型の超短波治療器であって、前記電子回路の周囲に、前記導子を配置したことを要旨とする。
【００１１】
請求項３に記載の発明は、上記目的を達成するために、請求項１または請求項２に記載の超短波治療器において、前記導子は、可撓性のコイルであり、該コイルは、少なくとも前記電子回路を収納する本体の左右に張り出して前記固定用ベルトの一部となっていることを要旨とする。可撓性のコイルを本体の左右に張り出して固定用ベルトの一部とすることにより、コイルと体との距離を短縮し、加熱効率を高めることができる。
【００１２】
請求項４に記載の発明は、上記目的を達成するために、請求項３に記載の超短波治療器において、前記コイルは、可撓性の導体を可撓性かつ透明の絶縁体で被覆したものであることを要旨とする。ここで透明とは、無色透明のみならず、着色されていても内部が透けて見える程度の透明性も含むものとする。
【００１３】
請求項５に記載の発明は、上記目的を達成するために、請求項３または請求項４に記載の超短波治療器において、前記本体後部の上下には、本体後部底面より一段と高くなった横方向に伸延する突起部がそれぞれ設けられ、これらの突起部内部に前記コイルを通したことを要旨とする。
【００１４】
請求項６に記載の発明は、上記目的を達成するために、請求項３乃至請求項５の何れか１項に記載の超短波治療器において、前記コイルが囲む空間内に、前記電源から供給される電流で発熱する発熱体を配置したことを要旨とする。
【００１５】
請求項７に記載の発明は、上記目的を達成するために、請求項３乃至請求項６の何れか１項に記載の超短波治療器において、前記コイルは、１回又は２回巻のコイルであることを要旨とする。
【００１６】
請求項８に記載の発明は、上記目的を達成するために、請求項１乃至請求項７の何れか１項に記載の超短波治療器において、振動子を更に備えたことを要旨とする。便秘の解消のために超短波により腹部を暖めて胃腸の働きを活発にさせる場合、振動子を更に備えて、腹部に同時に振動刺激を与える、又は仙骨付近に振動刺激を与えると、小腸又は直腸の運動が活発となり便秘解消が促進される。
【発明の効果】
【００１７】
第１発明によれば、電源からの電力を超短波に変換して出力する電子回路の周囲に、超短波を放射する導子を配置したので、小型軽量で携帯性に優れ、かつ腹部の広範囲な領域に超短波を放射して暖めることができるという効果がある。さらに超短波治療器による治療中に自由に動き回れるという効果がある。
【００１８】
第２発明によれば、電源入力端子からの電力を超短波に変換して出力する電子回路の周囲に、超短波を放射する導子を配置したので、小型軽量で携帯性に優れ、かつ腹部の広範囲な領域に超短波を放射して暖めることができるという効果がある。
【発明を実施するための最良の形態】
【００１９】
次に図面を参照して、本発明の実施の形態を詳細に説明する。以下に説明する各実施例は、腹部を暖めて胃腸の働きを活発にする用途に最適な超短波治療器であるが、肩、腰等にも有効である。
【実施例１】
【００２０】
図１は、本発明に係る超短波治療器の実施例１の外観を示す斜視図である。図１において、実施例１の超短波治療器１は、電源としての電池と電池の電力を超短波に変換して出力する電子回路を内蔵する本体２と、本体３から左右に延びて超短波を放射する導子である可撓性のコイル３とを備えている。
【００２１】
コイル３は、縦方向に短く横方向に長い扁平形状であり、本体２の周囲を囲むように配置されている。コイル３の左右端部には、固定用のベルト６または７とコイル３とを機械的に接続するためのホルダ４が設けられている。ホルダ４には、ベルト６，７を通すための縦長の孔５が設けられている。ベルト６，７のそれぞれの一端部は、孔５に通して折り返され金具８で元のベルト６，７と止められている。ベルト６，７の他端部には、それぞれ図示しない面ファスナーまたはワンタッチバックル等が設けられ、腰回りに簡単に着脱可能となっている。
【００２２】
上記構成により超短波治療器１は、電源と、電源の電力を超短波を出力する電子回路と、超短波を放射する導子であるコイル３と固定用のベルト６，７とを一体化した携帯型の超短波治療器となっている。これにより超短波治療器を容易に持ち運ぶことができ、職場や旅行先における超短波治療を可能とし、腹部の冷えや便秘を解消することができる。
【００２３】
前部カバー１３には、指で押下すると容易にへこむ可撓性の電源スイッチ操作部１０と、電源のオン／オフ状態を示す電源表示窓１１と、超短波治療器の動作状態を示す動作表示窓１２が設けられている。
【００２４】
次に、図１乃至図３を参照して、本体２の内部を説明する。図２は、本体２の内部構造を示す断面図であり、図３は後部カバー１４の内側を説明する斜視図である。本体２は、前部カバー１３と後部カバー１４と電池ボックスカバー１５とで表面が覆われている。前部カバー１３には、電池ボックス１６が設けられ、電源としての例えば単３型アルカリ乾電池１７が４本収容され、直流６Ｖを供給する。電池ボックスカバー１５には、Ｕ字型ばね１８とつめ１９とが一体成型で形成されている。Ｕ字型ばね１８は前部カバー１５に設けられた凹部２０に嵌め込まれることにより、電池ボックスカバー１５を開閉可能に前部カバー１３に固定している。
【００２５】
尚、超短波治療器１の電源としては、特に乾電池に限定されることはなく、充電可能な蓄電池を内蔵してもよい。この場合、外部電源接続端子を設け、充電器またはＡＣアダプターまたは自動車用アダプター等を接続して、交流商用電源または自動車電源から充電可能としてもよい。
【００２６】
次に、電源スイッチ操作部１０の内側には、電源スイッチ２４が設けられ、電源表示窓１１の内側には、電源状態を示す発光ダイオード（ＬＥＤ）２３が設けられている。図２には示されないが、動作表示窓１２の内側には、動作状態を示すＬＥＤが同様に設けられてる。電源スイッチ２４，ＬＥＤ２３等は、サブ基板２１に取り付けられている。
【００２７】
また、前部カバー１３の内側には、前部カバーと一体成型された基板支持用のポスト３２が設けられ、このポスト３２に、メイン基板２２がビス３１により固定されている。メイン基板２２の上には、シールドケース２２ａが設けられ、シールドケース２２ａの中には、乾電池１７からの直流６Ｖの電力を超短波に変換して出力する電子回路が形成されている。この電子回路は、それぞれ周知の発振回路、高周波増幅回路等を含む。
【００２８】
本実施例は、単３型の乾電池１７を４本使用した６Ｖにより作動し、その超短波出力は家庭用超短波治療器の出力限界である５０Ｗを下回る１Ｗ〜から数Ｗ程度である。しかしながらこの出力であっても腹部を暖め、胃腸の働きを十分活発にし、便秘解消に効果があることが確認されている。
【００２９】
後部カバー１４には、上端部及び下端部にそれぞれ後部カバー１４の底面より一段と高くなった横方向に伸延する突起部２７が設けられている。各突起部２７の左右両端部にはコイルホルダ部３３が設けられ、その中にコイル３が通されている。コイル３は、例えばステンレス細線からなるより線（子より）をもう一度より合わせた（親より）複合より線を用いた心線３ａと、透明ビニールチューブを用いた外皮３ｂからなる。複合より線は、可撓性と耐屈曲性を兼ね備えた線材である。従って、心線３ａも外皮３ｂも可撓性に富み、本体２及びコイル３を腹部に密着させることができる。また上下の突起部２７により、超短波治療器１がベルトのバックル部を跨ぐことができ、着衣の上から本体２及びコイル３を腹部に密着させることができる。また、コイル３の外皮３ｂを透明としたことにより、心線３ｂの美しい輝きを見ることができるとともに、超短波が放射される領域を確認することができる。
【００３０】
また後部カバー１４には、その内面から立ち上がる２つのターミナルポスト２８，２８が一体成型で設けられている。各ターミナルポスト２８には、コイル３の心線３ａの端部を圧着したラグ２９と、メイン基板２２と接続するためのリード線２５の端部を圧着したラグ２６とがビス３０により共締めされて、相互に接続している。これにより、本体２の周囲を一周するように配置されたコイル３へ、メイン基板２２から出力される超短波が接続される。
【００３１】
また、後部カバー１４の内面には、前部カバー１３との一体化のために、ポスト３４，３５が設けられ、ビス３６を図外の前部カバー１３のねじ穴にねじ込むことにより、前部カバー１３の内面と後部カバー１４の内面とを合わせるいわゆる最中合わせで一体化される。同様にホルダ４は、内部にコイル３を通して、ビス３９により前半部４ａの内面と後半部４ｂの内面とを合わせるいわゆる最中合わせで一体化される。
【００３２】
図４は、実施例１においてコイルの巻数を２回とした変形例を説明する分解図である。この変形例において、コイルは、例えば透明ビニールチューブを用いた外皮４１の中に、例えば透明被覆を有する電線を２回巻するように通して形成される。即ち、この電線は、ラグ２９ｂから第１ターン部４２，ターミナルバイパス部４３，第２ターン部４４を経てラグ２９ａに接続されている。その他の構成は、図３と同様である。
【００３３】
さらに変形例として、電池ボックス及び電池を設けることなく、外部から電力を受ける電源入力端子を本体に備え、ＡＣアダプター等の外部電源から供給される電力で電子回路が作動するものとしてもよい。この変形例によれば、超短波治療器を装着したまま自由に動き回れないが、超短波治療器及びＡＣアダプター等を併せても持ち運びが容易で旅行先等でも使用可能である。
【実施例２】
【００３４】
図５は、本発明に係る超短波治療器の実施例２の外観を示す斜視図である。図１に示した実施例１に対して、実施例２では、振動子ユニット９が追加されている。その他の構成は、図１と同様であるので、同じ構成要素には同じ符号を付与して重複する説明を省略する。振動子ユニット９は、例えば、電池と、電源スイッチと、偏心錘を回転駆動することにより振動を発生するモータとを内蔵している。振動子ユニット９は、ベルト７に通され、本体２を腹部に設定した場合、振動子ユニット９が背骨下部の仙骨付近に位置するように設定できるようになっている。尚、振動子ユニット９には、電池を内蔵せず本体２から図示しない電線により給電してもよい。
【００３５】
超短波治療器により腹部を暖めることにより胃腸の働きを活発にさせて、便秘の解消を図る場合、振動子ユニット９により仙骨の内側にある直腸部に振動刺激を加えると、直腸部の運動が促進されて便が出やすくなる。
【００３６】
また本体２の内部に振動子を内蔵することもできる。この場合、本体２の内部に、偏心錘を回転駆動することにより振動を発生するモータ等の振動子を配置し、本体２に内蔵した電源からこの振動子を駆動することができる。
【実施例３】
【００３７】
図６は、本発明に係る超短波治療器の実施例３の構成を説明する表側平面図であり、図７は、同裏側平面図である。実施例３の超短波治療器は、本体２の片側に導子であるコイル５５が設けられ、コイル５５が囲む空間内に、発熱体としてのヒータ線５６を設けたことを特徴とする。
【００３８】
図６に示すように、本体２の前面には、電池ボックスカバー１５が設けられ、その内部に、例えば電源としての単３電池４本が収納される。この電源は、超短波を発生する図示しない電子回路と、ヒーター線５６に供給される。また本体２の前部カバー１３には、電源スイッチ操作部１０と、電源のオン／オフ状態を示す電源表示窓１１と、超短波治療器の動作状態を示す動作表示窓１２が設けられている。
【００３９】
本体２の裏側には、パッドホルダ２ｂが形成され、パッド５１，５２と、ベルト７，８とを本体２とパッドホルダ２ｂとで挟み込んで固定されている。パッド５１，５２は、パッドホルダ２ｂの下で連続していてもよい。パッド５１、５２は、例えば、ウレタンスポンジ等の弾性シートの両面をポリエステル等の耐摩耗性の布で挟んで、その周囲を縁取りテープ５４を縫いつけて一体化したものである。パッド５２には、パッド５２にかかるベルト８の部分が衣服等を挟み込むのを防止するためにカバー部５３が設けられている。
【００４０】
また、パッド５２の弾性シートと裏布との間には、導子である１回巻のコイル５５が設けられ、本体２が内蔵する電子回路が発生する超短波が放射されるようになっている。さらに、コイル５５が囲む空間内に、発熱体としてのヒータ線５６が設けられている。
【００４１】
このように、超短波を放射するコイル５５と、発熱体としてのヒータ線５６とを同時に備えることにより、超短波により腹部の内側から体を温めると共に、熱が逃げやすく、且つ熱を感じる知覚神経末端部が多く分布する体表面をヒータ線５６で暖めることができる。尚、発熱体は、ヒータ線に限らずシート状の発熱体を使用してもよい。
【実施例４】
【００４２】
図８は、本発明に係る超短波治療器の実施例４の構成を説明する表側平面図である。実施例４の超短波治療器は、コイルを含むパッドを交換可能とし、治療部位に応じて最適なコイルを選択して使用可能としたことを特徴とする。図８（ａ）は１回巻コイルを接続した状態、図８（ｂ）は２回巻コイルを接続した状態を示す。
【００４３】
本体２の前面には、電池ボックスカバー１５が設けられ、その内部に、例えば電源としての単３電池４本が収納される。この電源は、超短波を発生する図示しない電子回路に供給される。本体２の前部には、電源スイッチ操作部１０と、電源のオン／オフ状態を示す電源表示窓１１と、超短波治療器の動作状態を示す動作表示窓１２が設けられている。また、本体２の図中左側面には、コイルと接続するための２極ジャック６８が設けられている。
【００４４】
さらに、本体２には、左右にベルト７，８が固定され、ベルト８には、パッド６１またはパッド７１が交換可能に取り付けられる。パッド６１は、例えば、ウレタンスポンジ等の弾性シートの両面をポリエステル等の耐摩耗性の布で挟んで、その周囲を縁取りテープ６４を縫いつけて一体化したものである。パッド６１には、パッド６１にかかるベルト８の部分が衣服等を挟み込むのを防止するためにカバー部６３が設けられている。
【００４５】
また、パッド６１の弾性シートと裏布との間には、導子である１回巻のコイル６２が設けられている。コイル６２は、中継部６５を介してケーブル６６、２極プラグ６７に接続されている。２極プラグ６７が本体２の２極ジャック６８に差し込まれると、本体２が内蔵する電子回路とコイル６２とが接続され、電子回路が発生する超短波がコイル６２から放射されるようになっている。
【００４６】
パッド７１は、例えば、ウレタンスポンジ等の弾性シートの両面をポリエステル等の耐摩耗性の布で挟んで、その周囲を縁取りテープ７４を縫いつけて一体化したものである。パッド７１には、パッド７１にかかるベルト８の部分が衣服等を挟み込むのを防止するためにカバー部７３が設けられている。
【００４７】
また、パッド７１の弾性シートと裏布との間には、導子である２回巻のコイル７２が設けられている。コイル７２は、中継部６５を介してケーブル６６、２極プラグ６７に接続されている。２極プラグ６７が本体２の２極ジャック６８に差し込まれると、本体２が内蔵する電子回路とコイル７２とが接続され、電子回路が発生する超短波がコイル７２から放射されるようになっている。
【００４８】
１回巻のコイル６２は、２回巻のコイル７２よりもコイルが囲む空間の面積が大きく、１回巻のコイル６２は、比較的広い領域である腹部等を暖めるのに適している。２回巻のコイル７２は、１回巻のコイル６２よりもコイルが囲む空間の面積が小さく、２回巻のコイル７２は、比較的狭い領域である膝部等を暖めるのに適している。
【図面の簡単な説明】
【００４９】
【図１】本発明に係る超短波治療器の実施例１の構成を説明する外観図である。
【図２】（ａ）実施例１の内部構成を説明する斜視断面図、（ｂ）正視断面図である。
【図３】実施例１のコイル取り付け状態を説明する後部カバー内側斜視図である。
【図４】２回巻コイルを説明する後部カバー平面図である。
【図５】実施例２の構成を説明する外観図である。
【図６】実施例３の構成を説明する表側平面図である。
【図７】実施例３の構成を説明する裏側平面図である。
【図８】（ａ）１回巻コイルを接続した実施例４の構成を説明する表側平面図、（ｂ）２回巻コイルを接続した実施例４の構成を説明する表側平面図である。
【符号の説明】
【００５０】
１  超短波治療器
２  本体
３  コイル
４  ホルダ
５  孔
６、７  ベルト  
【図１】
2008178523.tif 000003
【図２】
2008178523.tif 000004
【図３】
2008178523.tif 000005
【図４】
2008178523.tif 000006
【図５】
2008178523.tif 000007
【図６】
2008178523.tif 000008
【図７】
2008178523.tif 000009
【図８】
2008178523.tif 000010